(57)【要約】【課題】トイレットペーパ端部が常時、切断具上面に引き出されている状態となることにより、容易にトイレットペーパを引き出すことが可能になり、しかも、トイレットペーパ取換時のペーパ端部の引出口への挿通作業が簡単容易にできるトイレットペーパ用切断具を提供する。【解決手段】トイレットペーパ用ホルダー１の上部カバー１６の前部上面に取り付け可能な取付基部２１と、取付基部２１の両端から前方に延設される一対の腕部２２，２３と、一方腕部２３の前部にピン２４を介して他方腕部２２の前部上面側に延び、かつ上下方向に揺動自在に設けられる先端縁にカット刃２５ａをもったカット体２５とを備え、カット体２５の遊端部を他方腕部２２の前部上面に揺動支持させた時、トイレットペーパＰの引き出しを許す周囲閉鎖状の開口部ａを形成する一方、カット体２５の遊端部を上方へ揺動させた時、トイレットペーパＰの巻き放し端部の開口部ａへの取り込みを許す下方開放通路を形成するようにした。【選択図】  図１
2004329815.tif 000002
【特許請求の範囲】
【請求項１】
トイレットペーパ用ホルダーの上部カバーの前部上面に取り付け可能な取付基部と、該取付基部の両端から前方に延設される一対の腕部と、これら腕部のうち、一方腕部の前部に他方腕部の前部上面側に延び、かつ上下方向に揺動自在に設けられる前端縁にカット刃をもったカット体とを備え、カット体の遊端部を他方腕部の前部上面に揺動支持させた時、トイレットペーパの引き出しを許す周囲閉鎖状の開口部を形成する一方、カット体の遊端部を上方へ揺動させた時、トイレットペーパの巻き放し端部の開口部内への取り込みを許す下方開放通路を形成するようにしたことを特徴とするトイレットペーパ用切断具。
【請求項２】
トイレットペーパ用ホルダーの上部カバーの前部にその両端から前方に一対の腕部を一体に延設すると共に、これら腕部のうち、一方腕部の前部に他方腕部の前部上面側に延びる前端縁にカット刃をもったカット体を上下方向に揺動自在に設け、カット体の遊端部を他方腕部の前部上面に揺動支持させた時、トイレットペーパの引き出しを許す周囲閉鎖状の開口部を形成する一方、カット体の遊端部を上方へ揺動させた時、トイレットペーパの巻き放し端部の開口部内への取り込みを許す下方開放通路を形成するようにしたことを特徴とするトイレットペーパ用切断具。
【発明の詳細な説明】
【０００１】
【発明の属する技術分野】
本発明は、トイレットペーパ用ホルダーに設けて使用するトイレットペーパ用切断具に関する。
【０００２】
【従来の技術】
従来のトイレットペーパ用ホルダーとして、例えば基板の左右両端縁にそれぞれ支持板を対向状に突設し、これら一対の支持板の間に支持軸を着脱可能に掛け渡すと共に、この支持軸の外周にトイレットペーパを回転可能に嵌め込む一方、一対の支持板の間に上部カバーを軸部を中心として揺動可能に設け、上部カバーの一部にトイレットペーパの巻き放し端部の引出口を設けると共に、引出口から引き出されたトイレットペーパを切断する切断刃を上部カバーの先端縁に設けた構成のものが知られている。そして、使用時には、上部カバーの引出口から引き出されたトイレットペーパの先端部を片手で引き出し、トイレットペーパの切りたいところで回転を止めながら切断刃で切断できるようになされている（例えば、特許文献１参照）。
【０００３】
【特許文献１】
実用新案登録第３０５８７０号  （第１頁、第１図）
【０００４】
【発明が解決しようとする課題】
ところで、上記したトイレットペーパ用ホルダーにあっては、上部カバーの一部に引出口を設けると共に、上部カバーの先端縁に切断刃を一体に突設した構成であるため、新たなトイレットペーパに取り替えるとき、その都度トイレットペーバの巻き放し端部を引出口に上部カバーの下面側から挿通する作業が必要となる。しかし、そのトイレットペーパの巻き放し端部の引出口へのその挿通作業が非常に面倒で手間を要する問題があった。
【０００５】
そこで本発明は、トイレットペーパ端部が常時、切断具上面に引き出されている状態となることにより、容易にトイレットペーパを引き出すことが可能になり、しかも、トイレットペーパ取換時のペーパ端部の引出口への挿通作業が簡単容易にでき、その上、安価に供給できるトイレットペーパ用切断具の提供を課題とする。
【０００６】
【課題を解決するための手段】
上記した課題を解決するために、本願の請求項１に記載の発明は、トイレットペーパ用ホルダーの上部カバーの前部上面に取り付け可能な取付基部と、該取付基部の両端から前方に延設される一対の腕部と、これら腕部のうち、一方腕部の前部に他方腕部の前部上面側に延び、かつ上下方向に揺動自在に設けられる前端縁にカット刃をもったカット体とを備え、カット体の遊端部を他方腕部の前部上面に揺動支持させた時、トイレットペーパの引き出しを許す周囲閉鎖状の開口部を形成する一方、カット体の遊端部を上方へ揺動させた時、トイレットペーパの巻き放し端部の開口部内への取り込みを許す下方開放通路を形成するようにしたことを特徴とする。
【０００７】
また、本願の請求項２に記載の発明は、トイレットペーパ用ホルダーの上部カバーの前部にその両端から前方に一対の腕部を一体に延設すると共に、これら腕部のうち、一方腕部の前部に他方腕部の前部上面側に延びる前端縁にカット刃をもったカット体を上下方向に揺動自在に設け、カット体の遊端部を他方腕部の前部上面に揺動支持させた時、トイレットペーパの引き出しを許す周囲閉鎖状の開口部を形成する一方、カット体の遊端部を上方へ揺動させた時、トイレットペーパの巻き放し端部の開口部内への取り込みを許す下方開放通路を形成するようにしたことを特徴とする。
【０００８】
【発明の実施の形態】
以下、本発明の実施の形態を図面に基づいて説明する。
図１〜図３は、ロールタイプのトイレットペーパＰが装着された既存のトイレットペーパ用ホルダー１に本発明に係るトイレットペーパ用切断具２をセットした状態を示す。
【０００９】
トイレットペーパ用ホルダー１は、壁材に固定される基板１１の左右両端部に一対の支持板１２，１３を設けると共に、これら支持板１２，１３の前端部における内面対向位置に凹部（図示せず）を形成し、これら凹部間に両端部に係合突起を有する支持軸１４を着脱自由に掛け渡す一方、両支持板１２，１３間にその基板１１側上部に設けられる揺動軸１５を介して上部カバー１６を揺動可能に設けたものである。なお、支持軸１４にはトイレットペーパＰが回転可能に嵌め込まれる。
【００１０】
トイレットペーパ用切断具２は、図２及び図３に示すようにトイレットペーパ用ホルダー１の上部カバー１６の前部上面に取り付けられる取付基部２１と、該取付基部の両端から前方に延設される一対の腕部２２，２３と、これらの腕部２２，２３のうち、一方腕部２３の前部にピン２４を介して他方腕部２２の前部上面側に延び、かつ上下方向に揺動自在に設けられる前端縁にカット刃２５ａをもったカット体２５とを備えている。カット体２５の遊端部を他方腕部２２の前部上面に揺動支持させた時、トイレットペーパＰの引き出しを許す周囲閉鎖状の開口部ａを形成する一方、カット体２５の遊端部を上方へ揺動させた時、トイレットペーパＰの巻き放し端部の開口部ａ内への取り込みを許す下方開放通路を形成するようになされている。
【００１１】
図に示す実施の形態では、図３に示すように取付基部２１の底面に剥離紙２６を備えた両面テープ２７が設けられている。また、カット体２５はその上面が扁平状で後方から前方に向かって上方に傾斜している。さらに、他方腕部２２はカット体２５を水平状に受止めて支持するために側面視Ｌ字形を呈している。
【００１２】
次に上記したトイレットペーパ用切断具の使用方法及び作用について説明する。
まず、図１に示すように、トイレットペーパＰが装着されたごくオーソドックスな既存のトイレットペーパホルダー１における上部カバー１６の先端部に、上記切断具２をその取付基部２１に設けた両面テープ２７により貼着してセットする。
【００１３】
次に、上記切断具２におけるカット体２５を図２に示すようにピン２４を介して上方へ揺動させる。これによりトイレットペーパＰの巻き放し端部の開口部ａへの取り込みを許す開放通路が形成される。そして、トイレットペーパＰの巻き放し端部を開放通路を介して開口部ａに挿通させる。その挿通作業後、トイレットペーパＰを開口部分に位置させた状態を保ちながらカット体２５の遊端部を他方腕部２２の前部上面位置に揺動させて、トイレットペーパＰの引き出しを許す周囲が閉鎖状の開口部ａを形成する。
【００１４】
然る後、トイレットペーパＰを切断するにあたっては、上記切断具２の開口部ａからトイレットペーパＰの先端部を片手で引き出し、トイレットペーパＰの切りたいところで引き出しを止め、上部カバー１６を押えつつトイレットペーパＰをカット体２５のカット刃２５ａに対し直交させた状態で下向きに引っ張ることにより片手で簡単に切断することができる。
【００１５】
以上のように本発明では、トイレットペーパ用切断具２をごくありふれた既存のトイレットペーパホルダー１における上部カバー１６の先端部にセットするだけで使用でき、わざわざ切断機構を備えたトイレットペーパホルダー全体を購入して壁等に付替える必要がなく、コスト安価で簡単に装着することができる。しかも、トイレットペーパＰの巻き放し端部の開口部ａへの挿通作業が簡単容易にでき、その上、常にトイレットペーパＰの先端部がカット体２５の上に出ているので片手でつまむだけで引き出すことができる。
【００１６】
上記した実施の形態では、上記取付基部２１の取付底面に両面テープ２７を設けて、取付基部２１を上部カバー１６にワンタッチで貼着するようにしたが、例えば接着剤やビスなどの適宜固定手段で取付基部２１を上部カバー１６に固定するようにしてもよい。
【００１７】
また、カット体２５をピン２４により上下方向に揺動自在に支持したが、ピン２４に代えて腕部２３とカット体２５とを薄肉ヒンジ部を介して一体に連設してもよい。このように構成すれば、取付基部２１と腕部２２，２３とカット体２５とを一体成形でき、より安価にできる。この他、ピン２４に代えて例えばゴム帯や革帯或いは蝶番などをヒンジとして用いてもよい。また、腕部２３に、カット体２５を上方へ揺動させた時カット体２５と当接してその起立状態を維持するストッパー（図示せず）を一体に形成してもよい。さらに、カット体２５のカット刃２５ａはギザギサ状に形成する他、例えばストレート形或いは波形などであってもよいことは勿論である。
【００１８】
また、カット体２５の遊端部を他方腕部２２の前部上面位置に揺動させて閉鎖状の開口部ａを形成したとき、その閉鎖状態をより確実に維持させるための閉鎖維持手段を他方腕部２２とカット体２５とに設けてもよい。その場合、例えば他方腕部２２の前部上面位置に係合凹部を、またカット体２５の遊端部下面に係合凹部に係合する係合突起を設けて、係合突起を係合凹部にカチっと嵌り込ませることにより閉鎖状態を維持させるようにしたり、或いは、永久磁石や止め具などを装着して閉鎖状態を維持させるにすればよい。
【００１９】
一方、図４はトイレットペーパ用切断具２Ａをトイレットペーパ用ホルダー１の上部カバー１６に直接一体形成した別の実施の形態を示す。その場合、トイレットペーパ用ホルダー１の上部カバー１６の前部にその両端から前方に一対の腕部１６ａ，１６ｂを一体に延設すると共に、これら腕部１６ａ，１６ｂのうち、一方腕部１６ｂの前部に他方腕部１６ａの前部上面側に延びる前端縁にカット刃１７ａをもったカット体１７をピン又はヒンジなどを介して上下方向に揺動自在に設け、カット体１７の遊端部を他方腕部１６ａの前部上面に揺動支持させた時、トイレットペーパＰの引き出しを許す周囲閉鎖状の開口部ａを形成する一方、カット体１７の遊端部を上方へ揺動させた時、トイレットペーパＰの巻き放し端部の開口部ａ内への取り込みを許す下方開放通路を形成するように構成する。
【００２０】
このように構成した場合にも、前述した実施の形態の場合と同様にトイレットペーパ端部が常時、切断具上面に引き出されている状態となって容易にトイレットペーパＰを引き出すことが可能で、しかも、トイレットペーパ取換時のトイレットペーパＰの巻き放し端部の開口部ａ内への挿通作業が簡単容易にでき、その上、部品点数を抑えて安価に供給できる。
【００２１】
【発明の効果】
以上のように本発明のトイレットペーパ用切断具によれば、トイレットペーパ用ホルダーの上部カバーの前部上面に取り付け可能な取付基部と、該取付基部の両端から前方に延設される一対の腕部と、これら腕部のうち、一方腕部の前部に他方腕部の前部上面側に延び、かつ上下方向に揺動自在に設けられる前端縁にカット刃をもったカット体とを備え、カット体の遊端部を他方腕部の前部上面に揺動支持させた時、トイレットペーパの引き出しを許す周囲閉鎖状の開口部を形成する一方、カット体の遊端部を上方へ揺動させた時、トイレットペーパの巻き放し端部の開口部内への取り込みを許す下方開放通路を形成するようにしたから、ごくありふれた既存のトイレットペーパ用ホルダーに装着するだけでトイレットペーパ端部が常時、切断具上面に引き出されている状態になることにより、容易にトイレットペーパを引き出すことが可能になり、しかも、トイレットペーパ取換時のトイレットペーパの巻き放し端部の引出口への挿通作業が簡単容易にでき、その上、安価に供給できる。
【００２２】
また、トイレットペーパ用ホルダーの上部カバーの前部にその両端から前方に一対の腕部を一体に延設すると共に、これら腕部のうち、一方腕部の前部に他方腕部の前部上面側に延びる前端縁にカット刃をもったカット体を上下方向に揺動自在に設け、カット体の遊端部を他方腕部の前部上面に揺動支持させた時、トイレットペーパの引き出しを許す周囲閉鎖状の開口部を形成する一方、カット体の遊端部を上方へ揺動させた時、トイレットペーパの巻き放し端部の開口部内への取り込みを許す下方開放通路を形成するようにした場合にも、前述した実施の形態の場合と同様にトイレットペーパ端部が常時、切断具上面に引き出されている状態となって容易にトイレットペーパＰを引き出すことが可能で、しかも、トイレットペーパ取換時のトイレットペーパＰの巻き放し端部の開口部ａ内への挿通作業が簡単容易にでき、その上、部品点数を抑えて安価に供給できる。
【図面の簡単な説明】
【図１】本発明のトイレットペーパ用切断具の使用状態を示す斜視図である。
【図２】同切断具の正面図である。
【図３】同切断具の拡大側面図である。
【図４】別の実施の形態を示す一部省略斜視図である。
【符号の説明】
２              トイレットペーパ用切断具
２Ａ            トイレットペーパ用切断具
１６            上部カバー
１６ａ          腕部
１６ｂ          腕部
１７            カット体
１７ａ          カット刃
２１            取付基部
２２            腕部
２３            腕部
２４            ピン
２５            カット体
２５ａ          カット刃
ａ              開口部
【図１】
2004329815.tif 000003
【図２】
2004329815.tif 000004
【図３】
2004329815.tif 000005
【図４】
2004329815.tif 000006